(57)【要約】【課題】ＬＤＯレギュレータ回路の出力段サイズを変更した場合でも、急激な突入電流を発生を防ぐ。【解決手段】起動時は、ＬＤＯレギュレータ回路１の出力電位Ｖｏｕｔの目標電位を、目標電位切替部３により１．９Ｖに切り替え、出力段トランジスタ切替部１２により、出力段トランジスタ１１よりもオン抵抗の大きな出力段トランジスタ１０を駆動させる。出力電位判定部４により出力電位Ｖｏｕｔが目標電位１．９Ｖの９６％に達したと判定した場合には、目標電位切替部３により目標電位を１．８Ｖに切り替え、出力段トランジスタ切替部１２により、出力段トランジスタ１１と出力段トランジスタ１０との双方を駆動させる。【選択図】図１
2014038541.tif 000002
【特許請求の範囲】
【請求項１】
第１のトランジスタと、前記第１のトランジスタよりもオン抵抗が大きい第２のトランジスタとを備えたレギュレータと、
前記レギュレータの出力の電位が所定の電位に到達したか否かを判定する出力電位判定部とを備え、
前記レギュレータは、前記出力電位判定部の判定結果に応じて、前記二つのトランジスタの少なくとも何れかを出力段トランジスタとして選択する出力段トランジスタ選択部を備える電源回路であって、
前記レギュレータの出力の目標電位を、第１の電位、または、前記第１の電位より高い第２の電位に切り替え可能な目標電位切替部とを備え、
前記出力段トランジスタ選択部は、前記出力電位判定部により前記レギュレータの出力の電位が前記第１の電位より高い電位に到達したと判定されるまでは、前記第２のトランジスタを前記出力段トランジスタとして選択し、前記出力電位判定部により前記レギュレータの出力の電位が前記第１の電位より高い電位に到達したと判定された後は、少なくとも前記第１のトランジスタを前記出力段トランジスタとして選択し、
前記目標電位切替部は、前記出力電位判定部により前記レギュレータの出力の電位が前記第１の電位より高い電位に到達したと判定されるまでは、前記目標電位を前記第２の電位に切り替え、前記出力電位判定部により前記レギュレータの出力の電位が前記第１の電位より高い電位に到達したと判定された後は、前記目標電位を前記第１の電位に切り替える
ことを特徴とする電源回路。
【請求項２】
前記出力電位判定部は、コンパレータから構成され、基準電位と前記レギュレータの出力に比例した電位と比較することを特徴とする請求項１に記載の電源回路。
【請求項３】
前記レギュレータの出力は、直列に接続された複数の抵抗により分圧され、前記目標電位切替部は所定の該分圧に切り替えることで前記レギュレータの出力を目標電位とし、また、所定の該分圧を前記コンパレータの比較電圧とすることを特徴とする請求項２に記載の電源回路
【請求項４】
前記出力電位判定部は、前記電源回路の起動時からの経過時間を計測する計測部を備え、前記起動時からの経過時間が所定時間に達した時に、前記レギュレータの出力の電位が前記第１の電位よりも高い電位に到達したと判定することを特徴とする請求項１ないし請求項３のいずれか一に記載の電源回路。
【請求項５】
前記出力電位判定部は、前記レギュレータの出力の電位が前記第１の電位より高い電位に到達したと判定された後はバイアス電流を止めて動作を停止することを特徴とする請求項１ないし４のいずれか一に記載の電源回路。
【発明の詳細な説明】
【技術分野】
【０００１】
本発明は、レギュレータ起動時の突入電流を抑制する技術に関する。
【背景技術】
【０００２】
ＬＤＯ (Low Dropout)レギュレータを用いる電源回路では、一般的にＬＤＯレギュレータの出力に負荷容量を接続する。したがって、この負荷容量が大きい場合には、起動時においてＬＤＯレギュレータの出力から負荷容量に対して急激な突入電流が流れ込む場合がある。この急激な突入電流により、配線の溶断や、ＥＭＩ (Electromagnetic Interference)のレベルの増大を引き起こすことがあり、さらには、この電源回路を使用している他の回路の誤動作を引き起こすことがある。
【０００３】
突入電流はＬＤＯレギュレータの出力段に用いられるトランジスタのオン抵抗、及び、電源電位とＬＤＯレギュレータの出力電位との差分とによって定まる。つまり、次式により表される。
突入電流＝（電源電位−ＬＤＯレギュレータの出力電位）／ＬＤＯレギュレータの出力段に用いられるトランジスタオン抵抗
【０００４】
ＬＤＯレギュレータにおける出力段のトランジスタのサイズが小さいとオン抵抗は大きくなり、出力段のトランジスタのサイズが大きいとオン抵抗は小さくなる。そこで、従来は、ＬＤＯレギュレータの起動時には出力段のトランジスタのサイズを小さくしてオン抵抗を大きくすることにより突入電流を抑制し、ＬＤＯレギュレータの出力電位が目標電位近くまで到達すると、出力段のトランジスタのサイズを本来使用したいサイズまで大きくしてオン抵抗を小さくすることが行われていた（例えば、特許文献１）。
【先行技術文献】
【特許文献】
【０００５】
【特許文献１】特開２００５−１９８４３９号公報
【発明の概要】
【発明が解決しようとする課題】
【０００６】
しかし、特許文献１の方式では、出力段のトランジスタのサイズを大きくしてオン抵抗を小さくした時に、ＬＤＯレギュレータの出力電位はまだ目標電位には到達していないので、ＬＤＯレギュレータは出力電位を目標電位に近づけるように出力段のトランジスタを駆動する。その結果、上述した式において、電源電位とＬＤＯレギュレータの出力電位との差分がある段階で、ＬＤＯレギュレータの出力段に用いられるトランジスタのオン抵抗は小さくなるため、出力段のトランジスタのサイズ切り替え時に突入電流が発生するという問題があった。
【０００７】
本発明は、以上の事情を考慮して、ＬＤＯレギュレータの出力段のトランジスタのサイズを変更して出力段のトランジスタのオン抵抗を小さくした場合でも、急激な突入電流を発生させることのない電源回路を提供することを目的とする。
【課題を解決するための手段】
【０００８】
以上の課題を解決するために、本発明に係る電源回路は、第１のトランジスタと、前記第１のトランジスタよりもオン抵抗が大きい第２のトランジスタとを備えたレギュレータと、前記レギュレータの出力の電位が所定の電位に到達したか否かを判定する出力電位判定部とを備え、前記レギュレータは、前記出力電位判定部の判定結果に応じて、前記二つのトランジスタの少なくとも何れかを出力段トランジスタとして選択する出力段トランジスタ選択部を備える電源回路であって、前記レギュレータの出力の目標電位を、第１の電位、または、前記第１の電位より高い第２の電位に切り替え可能な目標電位切替部とを備え、前記出力段トランジスタ選択部は、前記出力電位判定部により前記レギュレータの出力の電位が前記第１の電位より高い電位に到達したと判定されるまでは、前記第２のトランジスタを前記出力段トランジスタとして選択し、前記出力電位判定部により前記レギュレータの出力の電位が前記第１の電位より高い電位に到達したと判定された後は、少なくとも前記第１のトランジスタを前記出力段トランジスタとして選択し、前記目標電位切替部は、前記出力電位判定部により前記レギュレータの出力の電位が前記第１の電位より高い電位に到達したと判定されるまでは、前記目標電位を前記第２の電位に切り替え、前記出力電位判定部により前記レギュレータの出力の電位が前記第１の電位より高い電位に到達したと判定された後は、前記目標電位を前記第１の電位に切り替えることを特徴とする。
【０００９】
以上の構成においては、電源回路の起動時には、目標電位切替部は前記レギュレータの出力の目標電位を第１の電位よりも高い第２の電位に切り替え、第１のトランジスタよりもオン抵抗が大きい第２のトランジスタを出力段トランジスタとして選択するので、突入電流の発生が抑制される。また、出力電位判定部により、レギュレータの出力電位が前記第１の電位よりも高い電位に達したと判定された時には、目標電位切替部はレギュレータ回路の出力の目標電位を前記第１の電位に切り替え、前記出力段トランジスタ選択部は第２のトランジスタよりもオン抵抗が小さい第１のトランジスタを少なくとも出力段トランジスタとして選択する。この時点では、目標電位を前記第１の電位であるが、レギュレータの出力電位は前記第１の電位よりも高い電位に達している。したがって、第２のトランジスタよりもオン抵抗が小さい第１のトランジスタを出力段トランジスタとして選択しても、突入電流の発生が抑制される。
【００１０】
本発明においては、前記出力電位判定部は、コンパレータから構成され、基準電位と前記レギュレータの出力に比例した電位と比較するようにしてもよい。このようにすれば、簡易な構成で前記出力電位の判定を行うことができる。
【００１１】
また、本発明においては、前記レギュレータの出力は、直列に接続された複数の抵抗により分圧され、前記目標電位切替部は所定の該分圧に切り替えることで前記レギュレータの出力を目標電位とし、また、所定の該分圧を前記コンパレータの比較電圧としてもよい。このようにすれば、簡易な構成で前記出力電位の判定を行うことができる。
【００１２】
本発明においては、前記出力電位判定部は、前記電源回路の起動時からの経過時間を計測する計測部を備え、前記起動時からの経過時間が所定時間に達した時に、前記レギュレータの出力の電位が前記第１の電位よりも高い電位に到達したと判定するようにしてもよい。このようにすれば、突入電流の発生を抑制しつつ、短い時間で前記レギュレータ回路の出力電位を使用可能な電位まで上昇させることができる。
また、本発明においては、前記出力電位判定部は、前記レギュレータの出力の電位が前記第１の電位より高い電位に到達したと判定された後はバイアス電流を止めて動作を停止するようにしてもよい。このようにすれば、消費電流を少なくすることができる。
【図面の簡単な説明】
【００１３】
【図１】本発明の一実施形態に係る電源回路のブロック図である。
【図２】電源回路の起動時からの動作を示すタイミングチャートである。
【図３】本発明との比較例の突電源回路のブロック図である。
【図４】比較例の電源回路の起動時からの動作を示すタイミングチャートである。
【発明を実施するための形態】
【００１４】
以下、添付図面を参照して本発明の一実施形態について説明する。図１は、本発明の一実施形態に係る電源回路１００のブロック図である。電源回路１００は、ＬＤＯレギュレータ１、基準電位生成回路２、目標電位切替部３、出力電位判定部４、制御回路５、出力端子６、及び、負荷容量Ｃ１を備えている。
【００１５】
ＬＤＯレギュレータ１は、基準電位生成回路２において生成される基準電位ＶＲＥＦが入力される第１入力端子２０と、目標電位切替部３の帰還抵抗によりＬＤＯレギュレータ１の出力電位Ｖｏｕｔを分圧した電位が帰還電位ＦＢとして入力される第２入力端子２１と、出力段トランジスタ１０と、出力段トランジスタ１１と、出力段トランジスタ選択部１２と、図示しないアンプを備えている。
第１入力端子２０に入力される基準電位ＶＲＥＦと第２入力端子２１に入力される帰還電位ＦＢとが前記アンプに入力されると、前記アンプは、基準電位ＶＲＥＦと帰還電位ＦＢとの電位差が一定となるように、出力段トランジスタ１０または出力段トランジスタ１１、もしくは出力段トランジスタ１０と出力段トランジスタ１１の双方をオン状態とする。その結果、出力端子６から出力される出力電位Ｖｏｕｔは一定に保たれる。
【００１６】
出力段トランジスタ１０と出力段トランジスタ１１には、共にＦＥＴトランジスタが用いられる。出力段トランジスタ１１は、出力段トランジスタ１０よりもトランジスタのサイズが大きく、出力段トランジスタ１０よりもオン抵抗が小さい。したがって、出力段トランジスタ１０は、出力段トランジスタ１１よりもトランジスタのサイズが小さく、出力段トランジスタ１１よりもオン抵抗が大きい。
出力段トランジスタ選択部１２は、出力電位判定部４の判定結果に応じて、出力段トランジスタとして用いるトランジスタを選択する。具体的には、出力段トランジスタ選択部１２は、出力電位判定部４によって出力電位Ｖｏｕｔが目標電位の９６％である１．８２４Ｖに到達したと判定されるまでは、出力段トランジスタ１０のみを出力段トランジスタとして選択する。したがって、起動時から出力電位Ｖｏｕｔが１．８２４Ｖになるまでは、出力段トランジスタ１１よりもオン抵抗が大きい出力段トランジスタ１０によって、ＬＤＯレギュレータ１の出力端子６に接続された負荷容量Ｃ１への充電が行われる。
また、出力段トランジスタ選択部１２は、出力電位判定部４によって出力電位Ｖｏｕｔが目標電位の９６％である１．８２４Ｖに到達したと判定されると、出力段トランジスタ１０と出力段トランジスタ１１の双方を出力段トランジスタとして選択する。したがって、出力電位Ｖｏｕｔが１．８２４Ｖに到達した後は、出力段トランジスタ全体のオン抵抗は、出力段トランジスタ１０のみを用いる場合よりも小さくなる。そして、出力端子６に他の回路が接続され、出力電位Ｖｏｕｔが目標電位よりも低下すると、出力電位Ｖｏｕｔを一定に保つように、出力段トランジスタ１０と出力段トランジスタ１１の双方により出力端子６に接続された負荷容量Ｃ１への充電が行われる。
なお、ＬＤＯレギュレータ１は、第３入力端子２２を備えており、この第３入力端子２２には、電力停止信号ＰＤが入力されるようになっている。電力停止信号ＰＤがハイレベルの状態では、ＬＤＯレギュレータ１への電力供給が停止され、ＬＤＯレギュレータ１は動作を停止する。しかし、電力停止信号ＰＤがローレベルになると、ＬＤＯレギュレータ１への電力供給が行われ、ＬＤＯレギュレータ１は起動することになる。
【００１７】
基準電位生成回路２は、ＬＤＯレギュレータ１の第１入力端子２０に入力される基準電位ＶＲＥＦを生成する。本実施形態においては、一例として、１．２Ｖの電位を生成する。なお、基準電位生成回路２によって生成される１．２Ｖの電位は、出力電位判定部４の反転入力端子にも入力されるようになっている。
目標電位切替部３は、帰還抵抗Ｒ１，Ｒ２，Ｒ３，Ｒ４と、スイッチ１３とを備えている。帰還抵抗によって出力電位Ｖｏｕｔを分圧し、この分圧した電位がＬＤＯレギュレータ１の第２入力端子２１に帰還電位ＦＢとして入力される。本実施形態においては、スイッチ１３が端子ａと接続されている場合には、ＬＤＯレギュレータ１の目標電位は１．８Ｖとなる。また、スイッチ１３が端子ｂと接続されている場合には、ＬＤＯレギュレータ１の目標電位は１．９Ｖとなる。スイッチ１３は、出力電位判定部４の判定結果に応じて、端子ａに接続される状態と、端子ｂに接続される状態に切り替えられる。具体的には、目標電位切替部３は、出力電位判定部４によって出力電位Ｖｏｕｔが目標電位の９６％である１．８２４Ｖに到達したと判定されるまでは、スイッチ１３を端子ｂに接続される状態に切り替える。その結果、起動時から出力電位Ｖｏｕｔが１．８２４Ｖに到達するまでは、ＬＤＯレギュレータ１の目標電位は１．９Ｖとなる。また、目標電位切替部３は、出力電位判定部４によって出力電位Ｖｏｕｔが１．８２４Ｖに到達したと判定された後、スイッチ１３を端子ａに接続される状態に切り替える。その結果、出力電位Ｖｏｕｔが１．８２４Ｖに到達した後は、ＬＤＯレギュレータ１の目標電位は１．８Ｖとなる。
【００１８】
出力電位判定部４はコンパレータから構成され、出力電位判定部４の反転入力には基準電位生成回路２で生成される基準電位ＶＲＥＦ（本実施形態では１．２Ｖ）が入力される。また、出力電位判定部４の非反転入力には、ＬＤＯレギュレータ１の出力電位Ｖｏｕｔから帰還抵抗Ｒ１＋Ｒ２の電圧降下分を差し引いた電位Ｖｘ’が入力される。本実施形態では、一例として、ＬＤＯレギュレータ１の出力電位Ｖｏｕｔが、１．９Ｖの９６％である１．８２４Ｖの時に、電位Ｖｘ’が１．２Ｖを超えるように帰還抵抗Ｒ１＋Ｒ２の値が定められている。したがって、出力電位Ｖｏｕｔが１．８２４Ｖに到達するまで、つまり、電位Ｖｘ’が基準電位の１．２Ｖに達するまでは、出力電位判定部４の出力信号Ｄｘはローレベルとなる。しかし、出力電位Ｖｏｕｔが１．８２４Ｖに到達し、電位Ｖｘ’が基準電位の１．２Ｖに達すると、出力電位判定部４の出力信号Ｄｘは、ローレベルからハイレベルに立ち上がることになる。
制御回路５は、出力電位判定部４の出力信号Ｄｘを検知しており、出力電位判定部４の出力信号Ｄｘがハイレベルになった時に、停止信号Ｌｘによって、出力電位判定部４を停止させるように構成されている。
【００１９】
次に、以上のような本実施形態の電源回路１００の動作を図２のタイミングチャートに基づいて説明する。まず、電力停止信号ＰＤ信号がハイレベルからローレベルに切り替わると、ＬＤＯレギュレータ１が起動される。この時、出力電位判定部４の非反転入力に入力される電位Ｖｘ’は１．２Ｖよりも低い電圧になっているので、出力電位判定部４の出力信号Ｄｘはローレベルとなる。その結果、出力段トランジスタ選択部１２は、出力段トランジスタ１１よりもトランジスタのサイズが小さく、出力段トランジスタ１１よりもオン抵抗の大きな出力段トランジスタ１０のみを出力段トランジスタとして選択する。また、目標電位切替部３のスイッチ１３は、端子ｂと接続され、ＬＤＯレギュレータ１の出力電位Ｖｏｕｔが目標電位の１．９Ｖになるように、ＬＤＯレギュレータ１のアンプにより出力段トランジスタ１０が駆動される。つまり、出力段トランジスタ１０によって負荷容量Ｃ１への充電が開始される。その結果、負荷容量Ｃ１には出力電流Ｉｏｕｔが供給されるが、ＬＤＯレギュレータ１の出力段トランジスタは、出力段トランジスタ１１よりもオン抵抗の大きい出力段トランジスタ１０が用いられるので、突入電流の電流値は、段落番号[０００３]に記載した数式に基づき、出力段トランジスタのオン抵抗が大きい分、抑制される。
【００２０】
負荷容量Ｃ１への充電が進むと、ＬＤＯレギュレータ１の出力電位Ｖｏｕｔは徐々に増大し、目標電位である１．９Ｖに近づく。そして、出力電位Ｖｏｕｔが、目標電位の１．９Ｖの９６％である１．８２４Ｖに達すると、電位Ｖｘ’は１．２Ｖを超えるので、出力電位判定部４の出力信号Ｄｘはローレベルからハイレベルに立ち上がる。出力信号Ｄｘがローレベルからハイレベルに立ち上がると、出力段トランジスタ選択部１２は、出力段トランジスタ１１と出力段トランジスタ１０の双方を出力段トランジスタとして選択する。その結果、出力段トランジスタ全体のトランジスタサイズは、出力段トランジスタ１０のみを用いる場合よりも大きくなり、出力段トランジスタ全体のオン抵抗は、出力段トランジスタ１０のみのオン抵抗よりも小さくなる。そして、目標電位切替部３のスイッチ１３は、端子ａと接続され、ＬＤＯレギュレータ１の目標電位は１．８Ｖになる。
つまり、目標電位が１．８Ｖに切り替えた時には、出力電位Ｖｏｕｔが既にその目標電位を超える１．８２４Ｖに達しているので、ＬＤＯレギュレータ１のアンプは出力段トランジスタの駆動を行わない。したがって、出力段トランジスタ全体のオン抵抗は、出力段トランジスタ１０のみのオン抵抗よりも小さくなっているが、図２に領域Ａで示すように、突入電流は発生しない。
ＬＤＯレギュレータ１の出力電位Ｖｏｕｔは一時的に１．８２４Ｖとなるが、出力端子６に他の回路が接続され、その回路が動作することにより出力電位Ｖｏｕｔを使用し始めると、図２の領域Ｂで示すように１．８Ｖに戻る。これは、目標電位切替部３のスイッチ１３が端子ａと接続され、ＬＤＯレギュレータ１の出力電位Ｖｏｕｔが目標電位の１．８Ｖとなるように出力段トランジスタの駆動が行われるためである。
なお、出力電位判定部４の出力信号Ｄｘはローレベルからハイレベルに立ち上がると、制御回路５から停止信号Ｌｘが出力され、出力電位判定部４は動作を停止する。したがって、これ以降は出力段トランジスタの選択と目標電位の切り替えは行われないので、本実施形態の電源回路１００は、出力電位Ｖｏｕｔが目標電位の１．８Ｖを維持するように動作することになる。なお、出力電位判定部４は動作を停止し、バイアス電流を止めることで消費電流を少なくすることができる。
【００２１】
以上のように本実施形態によれば、起動時におけるＬＤＯレギュレータ１の目標電位を、通常使用する電位よりも高く設定し、ＬＤＯレギュレータ１の出力電位Ｖｏｕｔが通常使用する電位より高い電位に達するまでは、通常使用する出力段トランジスタよりもトランジスタのサイズが小さい出力段トランジスタを用いて出力段トランジスタのオン抵抗を大きく、突入電流の発生を抑制する。そして、ＬＤＯレギュレータ１の出力電位Ｖｏｕｔが通常使用する電位より高い電位に達した後は出力段トランジスタ全体のオン抵抗を、それまでの出力段トランジスタのオン抵抗よりも小さくし、目標電位を通常使用する電位に戻す。したがって、目標電位が通常使用する電位に切り替えられた段階では、ＬＤＯレギュレータ１の出力電位Ｖｏｕｔは既に目標電位を超えており、ＬＤＯレギュレータ１のアンプによって出力段トランジスタが駆動されることはない。その結果、出力段トランジスタ全体のオン抵抗を小さくしても突入電流の発生が抑制され、突入電流による配線の溶断や、ＥＭＩのレベルの増大を引き起こすことがない。
【００２２】
＜比較例＞
次に、前記実施形態との比較例について説明する。図３に比較例の回路を示す。比較例の回路は、目標電位切替部３を備えていないところが前記実施形態の回路と異なる。つまり、比較例のＬＤＯレギュレータ１は、目標電位が常に１．８Ｖになっている。また、出力電位判定部４の非反転入力に入力される電位Ｖｘは、ＬＤＯレギュレータ回路１の出力電位Ｖｏｕｔが目標電位の１．８Ｖの９６％である１．７２８Ｖになった時に１．２Ｖを超えるように帰還抵抗Ｒ１の値が設定されている。
【００２３】
以上のような比較例の動作を図４のタイミングチャートに基づいて説明する。まず、電力停止信号ＰＤがハイレベルからローレベルに切り替り、ＬＤＯレギュレータ回路１が起動されると、出力電位判定部４の非反転入力に入力される電位Ｖｘは１．２Ｖよりも低い電圧になっているので、出力電位判定部４の出力信号Ｄｘはローレベルとなる。その結果、出力段トランジスタ選択部１２は、出力段トランジスタ１１よりもトランジスタサイズが小さく、出力段トランジスタ１１よりもオン抵抗の大きな出力段トランジスタ１０のみを出力段トランジスタとして選択する。そして、ＬＤＯレギュレータ１の出力電位Ｖｏｕｔが目標電位である１．８Ｖとなるように出力段トランジスタ１０が駆動される。この状態で負荷容量Ｃ１には出力電流Ｉｏｕｔが供給されるが、ＬＤＯレギュレータ１の出力段トランジスタ１０オン抵抗は出力段トランジスタ１１よりも大きいので、突入電流は段落番号［０００３］に記載した突入電流の数式に基づき、出力段トランジスタのオン抵抗が大きい分、抑制される。
【００２４】
負荷容量Ｃ１への充電が進むと、ＬＤＯレギュレータ１の出力電位Ｖｏｕｔは徐々に増大し、目標電位である１．８Ｖに近づく。そして、出力電位Ｖｏｕｔが、目標電位である１．８Ｖの９６％である１．７２８Ｖに達すると、電位Ｖｘは１．２Ｖを超えるので、出力電位判定部４の出力信号Ｄｘはローレベルからハイレベルに立ち上がる。出力信号Ｄｘがローレベルからハイレベルに立ち上がると、出力段トランジスタ選択部１２は、出力段トランジスタ１１と出力段トランジスタ１０の双方を出力段トランジスタとして選択する。その結果、出力段トランジスタ全体のトランジスタサイズは、出力段トランジスタ１０のみを用いる場合よりも大きくなり、出力段トランジスタ全体のオン抵抗は、出力段トランジスタ１０のみのオン抵抗よりも小さくなる。
この時、ＬＤＯレギュレータ１の目標電位は１．８Ｖのままである。したがって、出力電位Ｖｏｕｔは１．７２８Ｖには達しているが、目標電位の１．８Ｖには達していない。そこで、ＬＤＯレギュレータ１のアンプは、出力電位Ｖｏｕｔが目標電位の１．８Ｖに達するように出力段トランジスタ１０のみのオン抵抗よりも小さなオン抵抗の出力段トランジスタ１１及び出力段トランジスタ１０の双方を駆動する。このように電源電位と出力電位Ｖｏｕｔとの差分が生じている状態で、出力段トランジスタ１０のみのオン抵抗よりも小さなオン抵抗の出力段トランジスタ１１及び出力段トランジスタ１０の双方を駆動するので、図４の領域Ｃに示すように突入電流が発生してしまう。
【００２５】
＜変形例＞
前記実施形態では、ＬＤＯレギュレータ１の出力電位Ｖｏｕｔが通常使用する目標電位の１．８Ｖよりも高い電位になった時に、出力段トランジスタ選択部１２が出力段トランジスタ１１及び出力段トランジスタ１０の双方を出力段トランジスタとして選択する例について説明した。しかし、本発明はこのような例に限定されるものではなく、ＬＤＯレギュレータ１の出力電位Ｖｏｕｔが通常使用する目標電位の１．８Ｖよりも高い電位になった時に、出力段トランジスタ選択部１２が、出力段トランジスタ１０よりもトランジスタサイズが大きく、オン抵抗も小さい出力段トランジスタ１１のみを出力段トランジスタとして選択するように構成してもよい。
【００２６】
また、前記実施形態では、目標電位切替部３は、出力電位判定部４の出力に応じてスイッチ１３の切り替えを行う例について説明したが、本発明はこのような構成に限定されるものではなく、出力電位判定部４とは別の出力電位判定部を設け、この別の出力電位判定部の出力に応じてスイッチ１３の切り替えを行うようにしてもよい。
【００２７】
前記実施形態では、ＬＤＯレギュレータ１の出力電位Ｖｏｕｔに対応した電位を検知することにより、出力段トランジスタのサイズの切り替えと目標電位の切り替えを行ったが、本発明はこのような例に限定されるものではない。例えば、ＬＤＯレギュレータ１の出力電位Ｖｏｕｔが所定値に到達するまでの時間を計測する計測部を設け、この計測部により出力電位Ｖｏｕｔが所定値に到達するまでの時間を予め計測しておき、起動時からの経過時間がその時間に達した時に、ＬＤＯレギュレータ１の出力電位Ｖｏｕｔが所定の電位に達したと判定して、出力段トランジスタのサイズの切り替えと目標電位の切り替えを行うようにしてもよい。
【符号の説明】
【００２８】
１００……電源回路、１……ＬＤＯレギュレータ、２……基準電位生成回路、３……目標電位切替部、４……出力電位判定部、５……制御回路、１０，１１……出力段トランジスタ、１２……出力段トランジスタ選択部、１３……スイッチ、Ｃ１……負荷容量、Ｒ１，Ｒ２，Ｒ３，Ｒ４……帰還抵抗。
【図１】
2014038541.tif 000003
【図２】
2014038541.tif 000004
【図３】
2014038541.tif 000005
【図４】
2014038541.tif 000006